(57)【要約】【課題】現場打ち工法の法枠と同一構造の法枠で法面の緑化が可能となり、更には法枠の現場打ち作業が容易な法面緑化擁壁、法面緑化擁壁の構築方法及び該構築方法に使用する多孔質ブロックの提供。【解決手段】各粗骨材の表面を結合材で被覆した状態で互いに結合させ、内部に連続した空隙構造を有するポーラスコンクリートからなり、平板状の底版部２と、底版部２より立ち上げられた溝形成用壁部３，３とを有する多数の多孔質ブロック１，１…を縦横にそれぞれ並べて敷設することにより、溝形成用壁部３，３…に囲まれた植生部６を形成するとともに、互いに対向する溝形成用壁部３，３に挟まれ、縦横にそれぞれ連続したコンクリート打設用溝部７を形成し、コンクリート打設用溝部７内にコンクリート１０を打設することにより法面に格子状のコンクリート法枠を形成する。【選択図】　　図３
2004068258.tif 000002
【特許請求の範囲】
【請求項１】
法面の表面側に格子状のコンクリート法枠を有し、該法枠内に植生させるようにしてなる法面緑化擁壁の構築方法において、
各粗骨材の表面を結合材で被覆した状態で互いに結合させ、内部に連続した空隙構造を有するポーラスコンクリートからなり、平板状の底版部と、該底版部より立ち上げられた溝形成用壁部とを有する多数の多孔質ブロックを縦横にそれぞれ並べて敷設することにより、前記溝形成用壁部に囲まれた植生部を形成するとともに、互いに対向する溝形成用壁部に挟まれ、縦横にそれぞれ連続したコンクリート打設用溝部を形成し、該コンクリート打設用溝部内にコンクリートを打設することにより法面に格子状のコンクリート法枠を形成することを特徴としてなる法面緑化擁壁の構築方法。
【請求項２】
多孔質ブロックは、溝形成用壁部の下縁部外周に突設された突片を備え、該隣り合う多孔質ブロックの突片を互いに突き合わせることによって、コンクリート打設用溝部の底部を形成する請求項１又は２に記載の法面緑化擁壁の構築方法。
【請求項３】
溝形成用壁部は、その厚み方向に貫通した挿通孔を備え、コンクリート打設用溝部を構成する互いに対向した溝形成用壁部の挿通孔間に挿通管体を挿通させて隣り合う枠内間を連通させた状態でコンクリートを打設する請求項１又は２に記載の法面緑化擁壁の構築方法。
【請求項４】
連続したコンクリート打設用溝部内に鉄筋等の補強材を配置した後、コンクリートを打設する請求項１、２又は３に記載の法面緑化擁壁の構築方法。
【請求項５】
コンクリート法枠内に客土を充填する請求項１〜３又は４に記載の法面緑化擁壁の構築方法。
【請求項６】
ポーラスコンクリートからなり、平板状の底版部と、該底版部より立ち上げられた溝形成用壁部とを有し、法面に縦横に並べて敷設されることによって、溝形成用壁部に囲まれた植生部を形成するとともに、対向する溝形成用壁部外面に挟まれ、縦横に連続したコンクリート打設用溝部を形成するようにしたことを特徴としてなる多孔質ブロック。
【請求項７】
溝形成用壁部は、その下縁部に突片を有する請求項６に記載の多孔質ブロック。
【請求項８】
溝形成用壁部は、その厚み方向に貫通した挿通孔を有する請求項６又は８に記載の多孔質ブロック。
【請求項９】
ポーラスコンクリートからなり、平板状の底版部と、該底版部より立ち上げられた溝形成用壁部とを有する多数の多孔質ブロックを備え、前記溝形成用壁部が、該多孔質ブロックを縦横にそれぞれ並べて敷設することにより形成され、互いに対向する溝形成用壁部に挟まれて縦横にそれぞれ連続したコンクリート打設用溝部に打設されたコンクリートとともに法面に格子状に形成されたコンクリート法枠を形成するようにしたことを特徴としてなる法面緑化擁壁。
【発明の詳細な説明】
【０００１】
【発明の属する技術分野】
本発明は、法面の安定化と同時に植生による緑化を施す法面緑化擁壁、法面緑化擁壁の構築方法及び該構築方法に使用する多孔質ブロックに関する。
【０００２】
【従来の技術】
従来、自然崩壊した斜面、道路建設のために削り取られた斜面又は削り取られた地山に砕石や土砂を敷設してできた斜面などからなる法面の安定化を図る為に、法面にコンクリート製の法枠を格子状に設置して、その重量で法面の土砂の移動を抑止する工法（法枠工法）が用いられている。
【０００３】
この法枠工法としては、施工する法面に格子状に配置された型枠を設置し、係る型枠に現場打ちのコンクリートを打設することによって法面に格子状のコンクリート法枠を設置する方法（現場打ち工法）や、コンクリート製の棒状材、十字状材或いは枠状材等のプレキャストブロックを格子状に並べて連続したコンクリート法枠とする方法等が知られている。
【０００４】
【発明が解決しようとする課題】
しかし、上述のような従来の技術では、上述の型枠やプレキャストブロックを設置するに際し、法面の不陸等を排除して安定した設置状態を得るために法面に均しコンクリートが打設されることがあり、更には設置された法枠の枠内に現場打ちでコンクリート（張りコンクリート）を打設し、法面の安定化を図ることが行われており、そのことにより法面がコンクリートによって完全に被覆されるため、植生がなし得ない、昆虫や微生物の生息空間を奪い地山の生態を崩す等の問題があった。
【０００５】
また、現場打ち工法にあっては、型枠の設置及び撤去作業に手間が掛かり、作業効率が悪いという問題があった。
【０００６】
本発明は、このような従来の技術の状況を鑑み、現場打ち工法の法枠と同一構造の法枠で法面の緑化が可能となり、更には法枠の現場打ち作業が容易な法面緑化擁壁、法面緑化擁壁の構築方法及び該構築方法に使用する多孔質ブロックの提供を目的とする。
【０００７】
【課題を解決するための手段】
上述の如き従来の問題を解決し、所期の目的を達成するための請求項１の発明は、法面の表面側に格子状のコンクリート法枠を有し、該法枠内に植生させるようにしてなる法面緑化擁壁の構築方法において、各粗骨材の表面を結合材で被覆した状態で互いに結合させ、内部に連続した空隙構造を有するポーラスコンクリートからなり、平板状の底版部と、該底版部より立ち上げられた溝形成用壁部とを有する多数の多孔質ブロックを縦横にそれぞれ並べて敷設することにより、前記溝形成用壁部に囲まれた植生部を形成するとともに、互いに対向する溝形成用壁部に挟まれ、縦横にそれぞれ連続したコンクリート打設用溝部を形成し、該コンクリート打設用溝部内にコンクリートを打設することにより法面に格子状のコンクリート法枠を形成することを特徴とする。
【０００８】
このように構成することにより、現場打ち工法の法枠と同一構造の法枠で法面の緑化が可能となり、法面の安定化を図ることができる。
【０００９】
請求項２の発明は、請求項１の構成に加え、多孔質ブロックが、溝形成用壁部の下縁部外周に突設された突片を備え、該隣り合う多孔質ブロックの突片を互いに突き合わせることによって、コンクリート打設用溝部の底部を形成することを特徴とする。
【００１０】
このように構成することによって、突片の接合端面を突き合わせれば、各多孔質ブロックを向かい合う溝形成用溝間に間隔を隔てた状態に整然と敷設することができ、作業効率が良い。
【００１１】
請求項３の発明は、請求項１又は２の構成に加え、溝形成用壁部が、その厚み方向に貫通した挿通孔を備え、コンクリート打設用溝部を構成する互いに対向した溝形成用壁部の挿通孔間に挿通管体を挿通させて隣り合う枠内間を連通させた状態でコンクリートを打設することを特徴とする。
【００１２】
このように構成することによって、各枠内の水を好適に排水することができるよとともに各枠内に満遍なく水が行き渡るようになっている。
【００１３】
請求項４の発明は、請求項１、２又は３の構成に加え、連続したコンクリート打設用溝部内に鉄筋等の補強材を配置した後、コンクリートを打設することを特徴とする。
【００１４】
このように構成することにより、高い強度のコンクリート法枠を得ることができる。
【００１５】
請求項５の発明は、コンクリート法枠内に客土を充填することを特徴とする。
【００１６】
このように構成することにより、枠内の植生部に種子等が留まりやすくなり、好適に植生を行うことができる。
【００１７】
請求項６の発明は、ポーラスコンクリートからなり、平板状の底版部と、該底版部より立ち上げられた溝形成用壁部とを有し、法面に縦横に並べて敷設されることによって、溝形成用壁部に囲まれた植生部を形成するとともに、対向する溝形成用壁部外面に挟まれ、縦横に連続したコンクリート打設用溝部を形成するようにしたことを特徴とする。
【００１８】
このように構成することによって、ポーラスコンクリート製であるので軽く、運搬や設置等の作業を容易に行うことができ、作業効率が向上する。
【００１９】
請求項７の発明は、請求項６の構成に加え、溝形成用壁部が、その下縁部に突片を有することを特徴とする。
【００２０】
このように構成することによって、突片の接合端面を突き合わせることによって、対向する溝形成用壁部間に間隔を隔てた状態で各多孔質ブロックを整然と並べて敷設することができ、容易に設置することができる。
【００２１】
請求項８の発明は、請求項６又は７の構成に加え、溝形成用壁部が、その厚み方向に貫通した挿通孔を有することを特徴とする。
【００２２】
このように構成することによって、各枠内（植生部）間を連通させる挿通管体を容易に設置することができる。
【００２３】
請求項９の発明は、ポーラスコンクリートからなり、平板状の底版部と、該底版部より立ち上げられた溝形成用壁部とを有する多数の多孔質ブロックを備え、前記溝形成用壁部が、該多孔質ブロックを縦横にそれぞれ並べて敷設することにより形成され、互いに対向する溝形成用壁部に挟まれて縦横にそれぞれ連続したコンクリート打設用溝部に打設されたコンクリートとともに法面に格子状に形成されたコンクリート法枠を形成するようにしたことを特徴とする。
【００２４】
このように構成することによって、法枠内に植生が可能となり安定した法面が得られる。また、擁壁を構成する多孔質ブロックは軽量であるので設置作業等の効率が良く、安価に施工することができる。
【００２５】
【発明の実施の形態】
次に、本発明の実施の形態を図について説明する。
【００２６】
図１は多孔質ブロックの一例を示し、符号１は多孔質ブロックであり、この多孔質ブロック１は、砕石等の粗骨材の表面にモルタル等の連結材を被覆させた状態で互いに連結させ、内部に連続した空隙を有する構造のポーラスコンクリートによって構成されている。
【００２７】
尚、このポーラスコンクリートは、骨材として５号砕石（直径１３〜２０ｍｍ）又は６号砕石（直径５〜１３ｍｍ）を使用し、この骨材をモルタルコーティングした後に連結することから、５号砕石を使用した場合には直径が５〜１５ｍｍ程度の空隙が、６号砕石を使用した場合には、直径が２〜８ｍｍ程度の空隙が構成物の表面及び内部に連続してできるようになっている。そして、このようなポーラスコンクリートからなる多孔質ブロック１は、ブロック表面に表れた空隙から普通コンクリートが入り込み、この普通コンクリートが表面の砕石と一体化することによって、普通コンクリートとの間に高い付着強度が得られるようになっている。
【００２８】
多孔質ブロック１は、平板状の底版部２と、底版部２より立ち上げられた溝形成用壁部３，３とを一体に備えている。
【００２９】
溝形成用壁部３，３は、底版部２の周縁二辺に、互いに直交した配置に立ち上げられており、その溝形成用壁部３，３の外側下縁部には表面が緩やかに傾斜した形状の突片４が底版部２と連続配置に一体に突設されている。また、溝形成用壁部３の略中央部分には、壁部の厚み方向に貫通した挿通孔５が穿孔されている。
【００３０】
この多孔質ブロック１は、図３に示すように、複数組み合わせることによって、溝形成用壁部３，３…に囲まれた植生部６を形成することができるようになっており、また、図４に示すように、溝形成用壁部３，３を対向させた状態で突片４，４の接合端面を突き合わせることによって、両溝形成用壁部３，３間にコンクリート打設用溝部７を形成することができるようになっている。
【００３１】
尚、溝形成用壁部３の配置は、上述した実施例に限定されるものではなく、底版部２の両側縁に平行配置に立ち上げたものや、周縁の一辺のみに突設させたもの等でも、他との組合せによって植生部及びコンクリート打設用溝部を形成することができるものであればよい。
【００３２】
次に、この多孔質ブロック１，１…を使用した法面緑化擁壁の構築方法を図について説明する。
【００３３】
まず、各多孔質ブロック１，１…を、図３に示すように、中央に底板部２，２…によって構成され、溝形成用壁部３，３…によって囲まれた植生部６，６…が縦横各方向に対し並べて配置されるように法面地山対して並べて順次敷設していく。
【００３４】
このように多孔質ブロック１，１…を敷設していくと、各植生部６，６間の境界部分では、図４に示すように、突片４，４が互いに突き合わされ、この突き合わされた部分を底部とし、対向する溝形成用壁部３，３に挟まれたコンクリート打設用溝部７が形成される。
【００３５】
このコンクリート打設用溝部７は、縦横方向にそれぞれ連続して形成され、格子状に配置されたコンクリート打設用の型枠の役割を担うようになっている。
【００３６】
ここで、溝形成用壁部３に設けられた挿通孔５には、塩化ビニル製の挿通管体９を挿通させて、隣り合う植生部６，６間を連通させるようにし、連続したコンクリート打設用溝部７には、鉄筋等の補強部材８，８…を配置する。
【００３７】
次に、連続したコンクリート打設用溝部７に現場打ちにより、普通コンクリート１０を打設する。この打設された普通コンクリート１０は、ポーラスコンクリートからなる溝形成用壁部３，３と一体化され、枠内に植生部６を有する格子状のコンクリート法枠を形成する。
【００３８】
そして、図７に示すように、コンクリート法枠内の植生部６に客土１１を充填し、客土１１に種子を撒布する等してコンクリート法枠内に植生させるようになっている。
【００３９】
このようにして形成された法面緑化擁壁は、多孔質ブロック１が内部に連続した空隙構造を有するポーラスコンクリートであるため、植生部６が植生に適した保水性等を備え、枠内で好適な植生が行われるようになっている。
【００４０】
また、各植生部６，６間は挿通管体９により連通されているので、植生部６の水は適当に排水されるとともに、各植生部６，６…に満遍なく行き渡るようになっている。
【００４１】
尚、上述の実施例では、突片４を備えた多孔質ブロック１について説明したが、突片４は必ずしも設ける必要はなく、その場合には、各多孔質ブロック１，１…を間隔を隔てて敷設することにより、隣り合う多孔質ブロック１，１間にコンクリート打設用溝部を形成するようになっている。
【００４２】
【発明の効果】
上述のように、本発明に係る法面緑化擁壁の構築方法は、多孔質ブロックが、ポーラスコンクリート製であるので軽く、搬送や設置等の作業が行いやすく、効率がよい。
【００４３】
また、多孔質ブロックを並べて設置することで簡単にコンクリート法枠打設用の型枠を設けることができ、一方で型枠を撤去する必要がないので、手間が省け、コストダウンを図ることができる。
【００４４】
また、溝形成用壁部に囲まれた植生部は、ポーラスコンクリート版であるので好適に植生を施すことができ、更には植物が生長することによって法面の安定化がなされる。
【図面の簡単な説明】
【図１】本発明に係る多孔質ブロックの一例を示す斜視図である。
【図２】同上の正面図である。
【図３】同上の多孔質ブロックの組み立て状態を示す斜視図である。
【図４】隣り合う多孔質ブロック間の境界部分を示す断面図である。
【図５】コンクリートの打設状態を示す斜視図である。
【図６】同上の多孔質ブロック間の境界部分を示す断面図である。
【図７】法面の断面図である。
【符号の説明】
１　多孔質ブロック
２　底版部
３　溝形成用壁部
４　突片
５　挿通孔
６　植生部
７　コンクリート打設用溝
８　補強部材
９　挿通管体
１０　普通コンクリート
１１　コンクリート法枠
１２　客土
【図１】
2004068258.tif 000003
【図２】
2004068258.tif 000004
【図３】
2004068258.tif 000005
【図４】
2004068258.tif 000006
【図５】
2004068258.tif 000007
【図６】
2004068258.tif 000008
【図７】
2004068258.tif 000009